(57)【要約】【課題】フィルムのカット部分全体を均等な力で押圧することにより、フィルムの浮き上がりを阻止して、正確にフィルムをカットする。【解決手段】フィルム１を載置するフィルム載置台２と、フィルム押え部材３と、カッター部材４とにより構成され、前記フィルム押え部材３の上方部には、該フィルム押え部材３の水平度を調整する水平度調整手段２９が、取付部材３０・３１を介して前記フィルム押え部材３との間に間隔を有して取付けられ、該水平度調整手段２９は、該フィルム押え基板１６とほぼ同じ長さで、且つ薄く形成された帯状鋼板３２の一方端部を、一方側の取付部材３０に固定すると共に、前記帯状鋼板３２の他方端部は、該帯状鋼板３２の引張り力を調整できるよう他方の取付部材３１に調整可能に固定される。【選択図】図２
2004283978.tif 000002
【特許請求の範囲】
【請求項１】
フィルムを載置するフィルム載置台と、該フィルム載置台に上下動、且つ固定可能に設けられたフィルム押え部材と、該フィルム押え部材の上方部に取付けられた、前記フィルム押え部材の水平度を調整する水平度調整手段と、該フィルム押え部材によりフィルム載置台上に圧着固定されたフィルムを、刃先がフィルム載置台下面の台板に当接することなく所定の長さにカットするカッター部材とを備えたことを特徴とするフィルムカッター装置。
【請求項２】
フィルムを載置するフィルム載置台と、該フィルム載置台に上下動、且つ固定可能に設けられたフィルム押え部材と、該フィルム押え部材の上方部に取付けられた、前記フィルム押え部材の水平度を調整する水平度調整手段と、該フィルム押え部材によりフィルム載置台上に圧着固定されたフィルムを、刃先がフィルム載置台に当接することなく所定の長さにカットするカッター部材とを備えたフィルムカッター装置であって、
前記フィルム載置台は、台板上において、長手方向中央部付近に間隔部を残して、該間隔部の両側にフィルム載置板をそれぞれ固定すると共に、前記間隔部上に該各フィルム載置板との間にわずかな隙間を有して、板厚が前記フィルム載置板と同一のフィルム滑り止め板を、前記フィルム載置板と面一となるよう固定して形成され、
前記フィルム押え部材は、前記フィルム載置台に設けられた昇降手段により上下動、且つ固定可能に形成されると共に、フィルム押え基板の下面に、下面が該フィルム押え基板より下方へ突出するようにして弾性板を固定すると共に、前記フィルム押え基板の中央部長手方向上面に、垂直な摺接面と直角に突設した起立片とを備えたガイド板を、２枚左右対称に配設して、前記それぞれの起立片を背中合わせに接合して設けられたガイド用突条を突設固定して形成され、
前記フィルム押え部材の上方部には、該フィルム押え部材の水平度を調整する水平度調整手段が、取付部材を介して前記フィルム押え部材との間に間隔を有して取付けられ、
前記水平度調整手段は、前記フィルム押え基板とほぼ同じ長さで、且つ薄く形成された帯状鋼板の一方端部を、一方側の取付部材に固定すると共に、前記帯状鋼板の他方端部は、他方の取付部材に調整可能に固定され、
前記カッター部材は、フィルム押え部材とフィルム滑り止め板間に固定されたフィルムを、該フィルム上から隙間にロータリーカッターの刃先を挿入して、該隙間に沿って、該刃先が台板に当接することなく、該ロータリーカッターを回動させてカットできるよう形成されたことを特徴とするフィルムカッター装置。
【発明の詳細な説明】
【０００１】
【発明の属する技術分野】本発明は、フィルム保持ロールに巻回されたフィルムを適宜長さにカットして、フィルム保持ロールから切離した後、使用する場所の大きさに合わせて正確に四辺をカットすることができるフィルムカッター装置に関するものである。
【０００２】
【従来の技術】従来、フィルム保持ロールに巻回されたフィルムを、使用する場所の大きさに合わせてカットする場合、適宜長さにカットしてフィルム保持ロールから切離した後、該切離したフィルムを台盤等の上に載置して定規を当ててカットしていた。
【０００３】
【発明が解決しようとする課題】前記従来の定規を当ててカットする方法では、カット時に定規が動いてしまってカットミスすることが多く、特に、長さが長いフイルムの場合、平均して定規を押圧することができないので、フィルムが浮き上がってしまい、正確に四辺をカットすることができないという課題があり、また、一般のカッターではカット面（厚み０．１〜０．５ｍｍ）が荒れてフイルムの四辺が巧く接着できない（バリが出る）という課題があった。更に、従来、カッターを使用してフィルムをカットする場合、フィルムの下側にウレタンやゴムマットを敷き、その上にフィルムを載置してカットするが、頻度多く使用するとマットが損傷し、フィルムが巧くカットできなくなるという課題があり、また、マットの上ではカッターの刃先の損傷が激しく、カットしているうちに、刃先が損傷して切れ味が悪くなるという課題があった。
【０００４】本発明は前記課題を解決すべくなされたもので、フィルムをカットする際、フィルムのカット部分全体が均等な力でフィルム押え部材により押圧されて、動くこともなく固定され、カッターで各辺を順にカットして行くことにより、正確に四辺を所定の寸法にカットすることができ、また、カット面を垂直、且つ平坦にカットしてバリの発生を防止することができ、更に、マットを敷く必要がなく、ロータリーカッターの刃先がフィルムのみをカットし、その他の部材に接触せず、そのため刃先の損傷が少なく、フィルムを綺麗にカットすることができるフィルムカッター装置を提供しようとするものである。
【０００５】
【課題を解決するための手段】本発明は、フィルムを載置するフィルム載置台と、該フィルム載置台に上下動、且つ固定可能に設けられたフィルム押え部材と、該フィルム押え部材の上方部に取付けられた、前記フィルム押え部材の水平度を調整する水平度調整手段と、該フィルム押え部材によりフィルム載置台上に圧着固定されたフィルムを、刃先がフィルム載置台下面の台板に当接することなく所定の長さにカットするカッター部材とを備えるという手段を採用することにより、上記課題を解決した。
【０００６】
【発明の実施の形態】本発明の実施の形態を図面に基づいて詳細に説明する。本発明フィルムカッター装置は、フィルム１を載置するフィルム載置台２と、該フィルム載置台２に上下動自在に設けられたフィルム押え部材３と、該フィルム押え部材３によりフィルム載置台２上に圧着固定されたフィルム１を、所定の長さにカットするカッター部材４とにより構成されている。
【０００７】前記フィルム載置台２は、上方部の短い長方形状の上方板５と、下方部の長い長方形状の下方板６とを、前方部の方形状の連結板７でそれぞれ連設して、中央部背面側に方形状の倒凹部８を設けて、ほぼコ字状をしたサイドパネル９を形成すると共に、該サイドパネル９を２枚所定間隔を有して対面させて、前記下方板６と上面が面一となる方形筒状横長の台板１０を前記各サイドパネル９の内側面に連結固定して形成されている。
【０００８】そして、前記フィルム載置台２を構成する台板１０上において、長手方向中央部付近に巾の広い間隔部１１を残して、該台板１０上の長手方向前方部・背面部および各側壁部に亘って、断面Ｌ字状をした板厚が３ｍｍ程度のフィルム載置板１２ａ、１２ｂをそれぞれ固定すると共に、前記間隔部１１上に該各フィルム載置板１２ａ、１２ｂとの間に１ｍｍ程度の隙間１３を有して、板厚が前記フィルム載置板１２ａ、１２ｂと同一の３ｍｍ程度のウレタン樹脂製のフィルム滑り止め板１４を、前記フィルム載置板１２ａ、１２ｂと面一となるよう固定する。なお、好ましくは、前記フィルム滑り止め板１４は、前記倒凹部８を構成する下方板６の中央に位置するよう配設される。従って、前方側のフィルム載置板１２ａが、背面側のフィルム載置板１２ｂより奥行きが長いものとなる。
【０００９】前記フィルム押え部材３は、前記フィルム載置台２の両サイドパネル９の外側面に設けられたリフト等の昇降手段１５により上下動して、所定位置で固定できるよう形成されている。
【００１０】前記フィルム押え部材３は、前記フィルム滑り止め板１４と同一巾と長さを有する断面逆凹状をしたフィルム押え基板１６の下面の凹状部内に、下面がやや該フィルム押え基板１６の両側壁１６ａより下方へ突出するようにしてスポンジ、ゴム板等の弾性板１７を装入固定すると共に、前記フィルム押え基板１６の中央部長手方向上面に、前記カッター部材４のガイドとなる垂直な摺接面１８ａと、該摺接面１８ａの下面に外方へ突出した水平な底面１８ｂを備え、更に前記摺接面１８ａの上方に、内方へ延設した水平な天板１８ｃと、該天板１８ｃの内側端に起立片１８ｄを直角に突設して形成したガイド板１８を、２枚左右対称に配設して、前記それぞれの起立片１８ｄを背中合わせに接合したガイド用突条１９を突設固定して形成されている。なお、前記ガイド板１８は、図示していないが、水平な底面１８ｂと天板１８ｃを備えることなく、端に摺接面１８ａと起立片１８ｄのみを備えた断面Ｌ字状としてもよい。
【００１１】前記フィルム載置台２のフィルム載置板１２ａ、１２ｂおよびフィルム滑り止め板１４に亘って、あるいは前記フィルム載置板１２ａ、１２ｂのいずれかとフィルム滑り止め板１４に亘ってフイルム１を載置し、昇降手段１５を介してフィルム押え部材３を押し下げると、前記フィルム１が前記フィルム滑り止め板１４と弾性板１７間に圧着されて、前記隙間１３に沿ってカッター部材４によりカットするよう構成されている。そして、本発明においては、隙間１３が前記フィルム滑り止め板１４の両側にそれぞれ設けられているため、前記２本の隙間１３のうち、いずれかを適宜選択して使用してフィルム１をカットすることができる。
【００１２】前記昇降手段１５は、図５に示すような構成を有するものを使用する。すなわち、各サイドパネル９の上方板５の外側面に、軸杆２０を貫通せしめて該軸杆２０を上下動させるガイドとなる案内筒２１を備えた取付基板２２を固定すると共に、該取付基板２２に突設された支板２３にレバー２４を起倒自在に軸支し、且つ該レバー２４の下端部に軸杆２０の上端部を軸支する。
【００１３】そして、前記フィルム押え基板１６上に突設されたガイド用突条１９の両側端部の水平な底面１８ｂ上に、前記レバー２４の軸杆２０の下端部を連結固定する固定部材２５が、その外側を前記各サイドパネル９より外方へ突出せしめて固定されている。
【００１４】前記軸杆２０の下端部を連結固定する各固定部材２５は、図５に示すように断面凹状をなした固定基板２６の底板２７の内方側に、前記ガイド用突条１９を構成する各ガイド板１８の水平な底面１８ｂ上に股って載置固定するため、各摺接面１８ａ間と同一巾の切欠部２８を設けると共に、該切欠部２８によって区分された細片２７ａをそれぞれ設けて形成されている。そして、各固定部材２５の内方部を前記切欠部２８を介して前記各摺接面１８ａ間に挿入すると共に、前記両細片２７ａをガイド用突条１９上にそれぞれ載置してビス止め等により固定し、更に各サイドパネル９より外方へ突出した固定基板２６の底板２７に、各レバー２４の軸杆２０の下端部を連結固定する。従って、前記レバー２４の操作で、前記軸杆２０を上下動させることにより、フィルム押え部材３が上下動して、それぞれの上下位置において固定される。
【００１５】前記構成より成る昇降手段１５は、各サイドパネル９に取付けられると共に、フィルム押え基板１６上に突設されたガイド用突条１９の両側端部に固設された前記固定部材２５に、前記軸杆２０の下端が連結固定されているため、前記昇降手段１５によりフィルム押え部材３を押し下げ、または押し上げ操作をする場合、同時に両側の昇降手段１５を操作する必要がある。
【００１６】また、前記フィルム押え部材３を構成する起立片１８ｄの一方側および他方側端部には、該フィルム押え部材３の水平度を保持することにより、前記フィルム押え部材３によりフィルム滑り止め板１４上のフィルム１を均等な力で押圧し、前記フィルム１を動かないように固定するための水平度を調整する水平度調整手段２９が、取付部材３０・３１を介して固定されている。前記各取付部材３０・３１は、水平度調整手段２９を取付ける方法が、一方側と他方側において異なるため、それぞれその構成を異にしている。
【００１７】なお、仮りに前記水平度調整手段２９が存在しない場合のフィルム押え部材３の状態を説明する。フィルム押え部材３を両側の昇降手段１５により押し下げて、フィルム滑り止め板１４上のフィルム１に圧着すると、前記両昇降手段１５の押し下げ力により、該フィルム押え部材３の両端部が強くフィルム１に圧着されて、フィルム押え部材３の中央部付近が浮き上がってしまう。または、前記昇降手段１５の押し下げ力が弱いと、前記フィルム押え部材３の自重で、該フィルム押え部材３の中央部付近が沈み込んで、前記フィルム押え部材３の両端部が浮き上がってしまう。前記フィルム押え部材３の中央部付近が浮き上がったり、あるいは両端部が浮き上がると、該フィルム押え部材３には均等な力が入らないため、その部分においてフィルム１が該フィルム押え部材３に圧着せず、その結果フィルム１が動いてしまい、該フィルム１を正確に直線状にカットできないという虞れがある。
【００１８】本発明においては、前記のように、フィルム押え部材３の中央部付近が浮き上がったり、あるいは両端部が浮き上がったりして、その部分のフィルム１が動くのを防止するため、フィルム押え部材３の水平度を保持せしめて、該フィルム押え部材３をフィルム滑り止め板１４上のフィルム１上に圧着したときに、該フィルム１を均等な力で押圧し、前記フィルム１を動かないようにする水平度調整手段２９が、該フィルム押え部材３の上方部において、前記フィルム押え部材３との間に間隔を有して取付けられている。
【００１９】前記水平度調整手段２９は、前記ガイド用突条１９を構成する各ガイド板１８の起立片１８ｄ上において、該起立片１８ｄから間隔２９ａを有して取付けられている。そして、前記水平度調整手段２９は、該フィルム押え基板１６とほぼ同じ長さで、且つ薄く形成された帯状鋼板３２の一方端部を、一方側の取付部材３０にビス等により固定すると共に、前記帯状鋼板３２の他方端部は、該帯状鋼板３２の引張り力を調整できるよう他方の取付部材３１に調整可能に固定されている。
【００２０】すなわち、一方側の取付部材３０は、図３に示すように、前記ガイド用突条１９を構成する各ガイド板１８の起立片１８ｄ上に間隔を有して、前記水平度調整手段２９を構成する帯状鋼板３２の一方端部を固定できるよう、前記各起立片１８ｄの一方端部の外側壁面において、挟持板３３ａ・３３ｂを該各起立片１８ｄより上方へ延設して固定し、且つ該各挟持板３３ａ・３３ｂ間の隙間３４に、前記帯状鋼板３２の一方端部を挿入して、ビス等により固定して形成されている。
【００２１】また、他方側の取付部材３１は、図４、図５に示すように、前記ガイド用突条１９を構成する各ガイド板１８の各起立片１８ｄ上に間隔を有して、前記水平度調整手段２９を構成する帯状鋼板３２の他方端部を、その引張り力を調整できるようにして前記起立片１８ｄに取付けられている。すなわち、前記各起立片１８ｄの他方端部の外側壁面において、摺接板３５ａ・３５ｂを該各起立片１８ｄより上方へ延設して固定して両摺接板３５ａ・３５ｂ間に隙間３６を形成し、且つ前記前方側の摺接板３５ａの上方部の外側寄りを切欠いて切欠部３７を設けると共に、背面側の摺接板３５ｂの上方部の外側寄りを前記切欠部３７方向に直角に折曲延設して、折曲片３８を設けて形成されている。
【００２２】そして、前記帯状鋼板３２の他端部側には延長板３９を連結すると共に、該延長板３９の他端部側を前方側に直角に折曲して折曲片４０を形成し、更に前記延長板３９を隙間３６に挿入すると共に、背面側の摺接板３５ｂの折曲片３８と延長板３９の折曲片４０間に調節ボルト４１を螺挿して、該調節ボルト４１により帯状鋼板３２の他端部側を他方側の取付部材３１に連結固定し、該調節ボルト４１を締付けたり、緩めたりして、前記帯状鋼板３２の引張り力を調節して、フィルム押え部材３の水平度を調整できるように形成されている。
【００２３】すなわち、フィルム１をフィルム載置板１２ａ、フィルム滑り止め板１４およびフィルム載置板１２ｂに架け渡すか、あるいは前記フィルム載置板１２ａ・１２ｂのいずれかと、フィルム滑り止め板１４間に架け渡して、該フイルム１をフィルム押え部材３とフィルム滑り止め板１４間に圧接せしめたとき、図６において誇張して概略表示するように、フィルム押え部材３の中央部付近がその自重により下降して、該フィルム押え部材３の両側端部が浮き上がった場合、前記調節ボルト４１を締付けると、帯状鋼板３２の引張り力が強くなり、その引張り力が強くなったことがフィルム押え部材３に作用して、該フィルム押え部材３の両側端部が下降して、水平状態となって、フィルム押え部材３全体に均等に力が入り、前記フィルム押え部材３によりフィルム１が均等な力で、フィルム滑り止め板１４上に圧着される。
【００２４】なお、前記水平度調整手段２９は、フィルム押え部材３を昇降手段１５を介してフィルム１上に降下圧着する前に調整しておくことが好ましい。
【００２５】また、前記カッター部材４は、フィルム押え部材３とフィルム滑り止め板１４間に動くことなく固定されたフィルム１を、該フィルム１上から隙間１３にロータリーカッター４２の刃先４２ａを挿入して、該隙間１３に沿って該ロータリーカッター４２を回動させてカットするものである。
【００２６】そして、前記カッター部材４は、カッターホルダー４３の先方部の一方側側面に、ロータリーカッター４２の刃先４２ａが前記カッターホルダー４３から一部露出するようにして回転自在に軸支され、更に、該ロータリーカッター４２の内側面には、前記ロータリーカッター４２の不使用時に、該ロータリーカッター４２の刃先４２ａより外方へ突出して該刃先４２ａを保護すると共に、作業者の安全を図り、且つ使用時には内方へ移動して、ロータリーカッター４２の刃先４２ａを露出させるロータリーカッター４２より径大な円盤状の保護板４４が、カッターホルダー４３の凹部４５に上下動自在に装入された操作片４６の先方部に固定されている。
【００２７】すなわち、ロータリーカッター４２の不使用時には、操作片４６を下方へ押圧して、保護板４４の先方部を該ロータリーカッター４２の刃先４２ａより突出させて、前記ロータリーカッター４２の刃先４２ａが外部へ露出しないようにしている。そして、逆にロータリーカッター４２の使用時には、操作片４６を上方へ移動させて、ロータリーカッター４２の刃先４２ａを露出できるよう形成されている。
【００２８】更に、前記カッターホルダー４３のロータリーカッター４２側には、前記フィルム押え板１６上に突設されたガイド用突条１９を構成する各ガイド板１８の摺接面１８ａに摺接して、ロータリーカッター４２を回転移動させるガイド部材４７が併設固定されている。前記ガイド部材４７は、前記ガイド用突条１９の上方部より股って載置して、前記摺接面１８ａを摺接移動することができるよう形成されている。
【００２９】すなわち、前記ガイド部材４７は、前記カッターホルダー４３に固定した固定片４８の下方部に、前記ガイド用突条１９に股がることができる間隔を有して垂設された２枚の取付片４９の下面に、前記ガイド用突条１９を構成する各ガイド板１８の各摺接面１８ａの外側面に摺接する摺接面５０と、水平な底面１８ｂ上をスライドするスライド底面５１を前記摺接面５０の下面に備えた摺接板５２を突設して形成されている。前記摺接板５２は、好ましくは摩擦係数が小さい合成樹脂板により形成することが推奨され、これにより摺接板５２が、各摺接面１８ａと、水平な底面１８ｂに沿ってスムーズに移動ができるのである。なお、図中５３は操作片４６を上下動させる際に指を当てる突起、５４は該操作片４６を上下動するときの取付ボルト５５のガイド孔、５６は固定片４８に穿設された突起５３の操作窓である。
【００３０】前記カッター部材４のロータリーカッター４２の刃先４２ａをフィルム載置板１２ａ、１２ｂおよびフィルム滑り止め板１４間の隙間１３にフィルム１上から挿入して、該ロータリーカッター４２を回転させて該フィルム１をカットするが、少なくとも前記ロータリーカッター４２の刃先４２ａと台板１０間には、１ｍｍ程度の隙間５３が生ずるよう予め調整する必要がある。そのために、本発明の実施の形態におけるフィルム載置板１２ａ、１２ｂおよびフィルム滑り止め板１４は、同一板厚さの３ｍｍ程度としてあって、該各板厚を前記３ｍｍ程度とすることにより、前記ロータリーカッター４２の刃先４２ａと台板１０間に、１ｍｍ程度の隙間５７は容易に形成することができる。前記１ｍｍ程度の隙間５７を形成することにより、前記ロータリーカッター４２の刃先４２ａは、フィルム１のみに接触して台板１０には全く当接しないので、該刃先４２ａを破損する虞れはなく、カット面を垂直、且つ平坦にカットすることができる。また、従来のようにマットを使用することもないので、フィルムのカット作業が容易で、スムーズにできる。
【００３１】前記カッター部材４によりフィルム１の一辺がカットとされると、昇降手段１５のレバー２４を押し上げて軸杆２０を上動させ、フイルム押え部材３を上昇させた後、前記カットしたフィルム１の他の辺をカットできるように位置を調整して、前記操作を繰返して各辺をカットする。
【００３２】
【発明の効果】本発明は上述のようであるから、フィルム載置台上に載置されたフィルムのカット部分全体が、フィルム押え部材により均等な力で均一に押圧されるので、前記フィルム押え部材とフイルム間に隙間が生ずることなく、且つ動くことなく固定され、その後前記フィルム載置台上のフィルム載置板およびフィルム滑り止め板間の隙間に、カッター部材のロータリーカッターの刃先を挿入して、ガイド部材を前記フィルム押え部材を構成するガイド板に沿って摺動させることにより、ロータリーカッターの刃先とフィルム載置台間に隙間が形成されているので、該ロータリーカッターの刃先をフィルム載置台で損傷することもなく、前記フィルムのカット面を垂直、且つ平坦にカットすることができ、バリの発生を防止することができるのである。また、従来のようにフィルムの下にマットを敷く必要もないので、フィルムのカット作業は熟練を要することなく簡単にできるという優れた効果を奏する。
【図面の簡単な説明】
【図１】本発明フィルムカッター装置の全体の斜視図である。
【図２】本発明フィルムカッター装置において、フィルムをフィルム押え部材で圧着した状態を示す全体の斜視図である。
【図３】本発明フィルムカッター装置の一方側における昇降手段と水平度調整手段の取付状態を示す要部の斜視図である。
【図４】本発明フィルムカッター装置の他方側における昇降手段と水平度調整手段の取付状態を示す要部の斜視図である。
【図５】本発明フィルムカッター装置における他方側の要部を背面方向から見た組立分解斜視図である。
【図６】本発明フィルムカッター装置において、フィルム押え部材の中央部付近が下降し、且つその両端部付近が浮き上がった状態を誇張して示す概略正面図である。
【図７】本発明フィルムカッター装置において、フィルムをフィルム載置台上に載置した状態を示す要部の縦断面図である。
【図８】本発明フィルムカッター装置において、フィルムをフィルム載置台上に載置して、フイルム押え部材を押し下げてフィルムに圧着した状態を示す要部の縦断面図である。
【図９】本発明フィルムカッター装置におけるカッター部材の全体の斜視図である。
【図１０】本発明フィルムカッター装置におけるカッター部材の組立分解斜視図である。
【図１１】本発明フィルムカッター装置におけるカッター部材を構成するカッターホルダーにおいて、保護板が突出せずロータリーカッターの刃先が露出している状態を示す斜視図である。
【図１２】本発明フィルムカッター装置におけるカッター部材を構成するカッターホルダーにおいて、保護板が突出してロータリーカッターの刃先が露出していない状態を示す斜視図である。
【図１３】本発明フィルムカッター装置において、フィルムを背面側の隙間を利用してカッター部材によりカットする直前の状態を示す要部の縦断面図である。
【図１４】本発明フィルムカッター装置において、フィルムを背面側の隙間を利用してカッター部材によりカットしている状態を示す要部の縦断面図である。
【図１５】本発明フィルムカッター装置において、フィルムを前面側の隙間を利用してカッター部材によりカットしている状態を示す要部の縦断面図である。
【符号の説明】
１  フィルム、  ２  フィルム載置台、  ３  フィルム押え部材、  ４  カッター部材、  ９  サイドパネル、  １０  台板、  １１  間隔部、  １２ａ、１２ｂ  フィルム載置板、  １３  隙間、  １４  フィルム滑り止め板、  １５  昇降手段、  １６  フィルム押え基板、  １７  弾性板、  １８  ガイド板、１９  ガイド用突条、  ２０  軸杆、  ２９  水平度調整手段、  ２９ａ  間隔、３０・３１  取付部材、  ３２  帯状鋼板、  ４２  ロータリーカッター、  ４２ａ  刃先、  ４３  カッターホルダー、  ４８  固定片、  ４９  取付片、  ５０  摺接面、  ５２  摺接板。
【図１】
2004283978.tif 000003
【図２】
2004283978.tif 000004
【図３】
2004283978.tif 000005
【図４】
2004283978.tif 000006
【図５】
2004283978.tif 000007
【図６】
2004283978.tif 000008
【図７】
2004283978.tif 000009
【図８】
2004283978.tif 000010
【図９】
2004283978.tif 000011
【図１０】
2004283978.tif 000012
【図１１】
2004283978.tif 000013
【図１２】
2004283978.tif 000014
【図１３】
2004283978.tif 000015
【図１４】
2004283978.tif 000016
【図１５】
2004283978.tif 000017